(57)【要約】【課題】基礎床と共に二重床を構成する床パネルを支持する安定性を向上させることが可能な、床板支持部材と、施工用ガイドと、二重床の施工方法を提供する。【解決手段】床板支持部材が、基礎面と、基礎面の上方に配置された床パネルと、の間に配置されて、床パネルを下方から支持する台座部と、台座部に対して上方から着脱可能なヘッド部と、下端側を基礎面の上に配置し、且つ上端側にヘッド部を取り付ける支持脚部を備え、台座部は、床パネルの下方に配置する二箇所の床受け部と、床パネルの厚さ方向から見て二箇所の床受け部の間に配置された台座フレーム部を備え、台座フレーム部に、支持脚部が通過可能であるとともにヘッド部の一部を配置可能なヘッド部配置孔が形成され、二箇所の床受け部は、床パネルの厚さ方向から見てヘッド部配置孔を間に挟んで対向する位置に配置されている。【選択図】図３
2020197022.tif 000002
【特許請求の範囲】
【請求項１】
基礎面と、前記基礎面の上方に配置された床パネルと、の間に配置されて、前記床パネルを下方から支持する台座部と、
前記台座部に対して上方から着脱可能なヘッド部と、
下端側を前記基礎面の上に配置し、且つ上端側に前記ヘッド部を取り付ける支持脚部と、を備え、
前記台座部は、前記床パネルの下方に配置する二箇所の床受け部と、前記床パネルの厚さ方向から見て前記二箇所の床受け部の間に配置された台座フレーム部と、を備え、
前記台座フレーム部に、前記支持脚部が通過可能であるとともに前記ヘッド部の一部を配置可能なヘッド部配置孔が形成され、
前記二箇所の床受け部は、前記床パネルの厚さ方向から見て前記ヘッド部配置孔を間に挟んで対向する位置に配置されていることを特徴とする床板支持部材。
【請求項２】
前記床受け部の前記床パネルと対向する面に、断面がＶ字状の溝である誘導部が形成されていることを特徴とする請求項１に記載した床板支持部材。
【請求項３】
前記床受け部の前記基礎面と対向する面に、凹部状の溝である肉盗み部が形成され、
前記誘導部の少なくとも一部と前記肉盗み部の少なくとも一部とは、前記床パネルの厚さ方向から見て重なっていることを特徴とする請求項２に記載した床板支持部材。
【請求項４】
前記台座部は、前記ヘッド部配置孔の内径面に形成された雌ねじ部を備え、
前記ヘッド部は、前記雌ねじ部と噛み合う雄ねじ部を備えることを特徴とする請求項１から請求項３のうちいずれか１項に記載した床板支持部材。
【請求項５】
前記雄ねじ部と前記雌ねじ部とが噛み合った状態を任意の位置に保持する緩み止め機構を備えることを特徴とする請求項４に記載した床板支持部材。
【請求項６】
請求項１から請求項５のうちいずれか１項に記載した床板支持部材の前記床パネルへの取り付けに用いる板状の施工用ガイドであって、
厚さ方向に貫通する配置孔転写用空隙部が形成され、
前記配置孔転写用空隙部は、前記床パネルに対し、前記二箇所の床受け部のうち一方を他方よりも下方へ傾斜させた状態で前記台座部が通過可能な開口部を形成するための空隙部であることを特徴とする施工用ガイド。
【請求項７】
前記二箇所の床受け部は、それぞれ、前記床パネルを上面から厚さ方向に貫通して前記台座部に取り付けられる固定部材を用いて床パネルに固定され、
前記床パネルに対して前記固定部材を配置する二箇所の位置に開口した空隙部である固定部材位置決め部が形成されていることを特徴とする請求項６に記載した施工用ガイド。
【請求項８】
前記床パネルは、複数の床板材を組み合わせて形成され、
隣り合う前記床板材の間には、隙間が形成され、
前記隙間の間隔に合致する形状の第一表記部を備えることを特徴とする請求項６又は請求項７に記載した施工用ガイド。
【請求項９】
前記床パネルの厚さ方向から見た前記床受け部の輪郭に沿った形状の第二表記部を備えることを特徴とする請求項６から請求項８のうちいずれか１項に記載した施工用ガイド。
【請求項１０】
請求項１から請求項５のうちいずれか１項に記載した床板支持部材によって支持される前記床パネルと、前記基礎面と、を備える二重床を施工する二重床の施工方法であって、
前記基礎面と前記床パネルとの間に、前記台座部を挿入する台座部挿入工程と、
前記二箇所の床受け部を前記床パネルの前記基礎面と対向する面に押し付ける台座部押し付け工程と、
前記二箇所の床受け部を前記床パネルの前記基礎面と対向する面に押し付けている状態で、前記床パネルを上面から厚さ方向に貫通させた固定部材を前記床受け部にねじ込むことで、前記台座部を前記床パネルに取り付ける台座部取り付け工程と、
前記ヘッド部配置孔に、前記ヘッド部を上端側に取り付けた前記支持脚部の下端側を前記台座部の上方から通過させ、さらに、前記ヘッド部配置孔に前記ヘッド部を取り付けるヘッド部取付工程と、
前記支持脚部の下端側を前記基礎面の上に配置する支持脚部配置工程と、を備えることを特徴とする二重床の施工方法。
【発明の詳細な説明】
【技術分野】
【０００１】
本発明は、例えば、基礎床（スラブ）の上に形成される二重床の床パネルを支持する床板支持部材と、床パネルの施工に用いる施工用ガイドと、二重床の施工方法に関する。
【背景技術】
【０００２】
基礎床と床パネルとの間に床下空間を形成することで、室内等の遮音性を高めるとともに、床下空間に設備配管や配線等を配置することが可能な二重床として、例えば、特許文献１に開示されている技術がある。
特許文献１に開示されている技術は、基礎床の上に配置される台座と、台座に支持されるアジャスターボルトと、床パネルを載せる床パネル受けを備える。台座は、床パネル受けを垂直方向から見て上方から下方に投影した投影領域の内部に収まる大きさに形成されている。床パネル受けは、アジャスターボルトに取り付ける雌ねじ部を有しており、雌ねじ部の回転動作に伴って上下移動することで、床パネルの高さを調節することが可能である。また、アジャスターボルトと、雌ねじ部及び台座は、中心の位置が水平方向で一致している。一方、床受け部は、アジャスターボルトと、雌ねじ部及び台座に対し、中心の位置が、水平方向でずれている。
【先行技術文献】
【特許文献】
【０００３】
【特許文献１】特開２０１７−１１０３３２号公報
【発明の概要】
【発明が解決しようとする課題】
【０００４】
上述したように、特許文献１に記載されている技術では、床受け部が、相対的に、雌ねじ部と、アジャスターボルト及び台座に対して水平方向にずれた位置に配置されることになる。したがって、床受け部に片持ち状態で床パネルを載せた状態で、床パネルを支持することとなる。このため、床パネルを支持する安定性が低いという問題点がある。
本発明の課題は、床パネルを支持する安定性を向上させることが可能な、床板支持部材と、施工用ガイドと、二重床の施工方法を提供することである。
【課題を解決するための手段】
【０００５】
上記課題を解決するために、本発明の一態様は、台座部と、ヘッド部と、支持脚部を備える床板支持部材である。台座部は、基礎面と、基礎面の上方に配置された床パネルと、の間に配置されて、床パネルを下方から支持する。また、台座部は、床パネルの下方に配置する二箇所の床受け部と、床パネルの厚さ方向から見て二箇所の床受け部の間に配置された台座フレーム部と、を備える。台座フレーム部には、支持脚部が通過可能であるとともにヘッド部の一部を配置可能なヘッド部配置孔が形成されている。二箇所の床受け部は、床パネルの厚さ方向から見てヘッド部配置孔を間に挟んで対向する位置に配置されている。ヘッド部は、台座部に対して上方から着脱可能である。支持脚部は、下端側を基礎面の上に配置し、且つ上端側にヘッド部を取り付ける。
【０００６】
また、上記課題を解決するために、本発明の一態様は、床板支持部材の床パネルへの取り付けに用いる施工用ガイドであり、厚さ方向に貫通する配置孔転写用空隙部が形成されている。配置孔転写用空隙部は、床パネルに対し、二箇所の床受け部のうち一方を他方よりも下方へ傾斜させた状態で台座部が通過可能な開口部を形成するための空隙部である。
【０００７】
また、上記課題を解決するために、本発明の一態様は、床板支持部材によって支持される床パネルと、基礎面を備える二重床を施工する二重床の施工方法である。二重床の施工方法は、台座部挿入工程と、台座部押し付け工程と、台座部取り付け工程と、ヘッド部取付工程と、支持脚部配置工程を備える。台座部挿入工程は、基礎面と床パネルとの間に、台座部を挿入する工程である。台座部押し付け工程は、二箇所の床受け部を床パネルの基礎面と対向する面に押し付ける工程である。台座部取り付け工程は、二箇所の床受け部を床パネルの基礎面と対向する面に押し付けている状態で、床パネルを上面から厚さ方向に貫通させた固定部材を床受け部にねじ込むことで、台座部を床パネルに取り付ける工程である。ヘッド部取付工程は、ヘッド部配置孔に、ヘッド部を上端側に取り付けた支持脚部の下端側を台座部の上方から通過させ、さらに、ヘッド部配置孔にヘッド部を取り付ける工程である。支持脚部配置工程は、支持脚部の下端側を基礎面の上に配置する工程である。
【発明の効果】
【０００８】
本発明の一態様によれば、二箇所の床受け部により、両持ち状態で床パネルを支持することが可能となるため、床パネルを支持する安定性を向上させることが可能な、床板支持部材と、施工用ガイドと、二重床の施工方法を提供することが可能となる。
【図面の簡単な説明】
【０００９】
【図１】本発明の第一実施形態の床板支持部材を示す断面図である。
【図２】図１のＩＩ線矢視図である。
【図３】床板支持部材の構成を示す側面図である。
【図４】図３のＩＶ線矢視図である。
【図５】図４のＶ線矢視図である。
【図６】図５のＶＩ線矢視図である。
【図７】図５のＶＩＩ‐ＶＩＩ線断面図である。
【図８】図５のＶＩＩＩ線矢視図である。
【図９】図８のＸＩ線矢視図である。
【図１０】図９のＸ‐Ｘ線断面図である。
【図１１】キャップ部の構成を示す側面図である。
【図１２】図１１のＸＩＩ線矢視図である。
【図１３】図１１のＸＩＩＩ線矢視図である。
【図１４】図１１のＸＩＶ‐ＸＩＶ線断面図である。
【図１５】キャップ部を上方から見た斜視図である。
【図１６】施工用ガイドの構成を示す平面図である。
【図１７】図１６のＸＶＩＩ‐ＸＶＩＩ線断面図である。
【図１８】図１７のＸＶＩＩＩ線矢視図である。
【図１９】床板支持部材を配置する位置を示す平面図である。
【図２０】床パネル加工工程を示す平面図である。
【図２１】床パネル加工工程を示す平面図である。
【図２２】台座部挿入工程を示す断面図である。
【図２３】台座部取り付け工程を示す断面図である。
【図２４】本発明の第一実施形態の変形例を示す図である。
【図２５】本発明の第一実施形態の変形例を示す図である。
【発明を実施するための形態】
【００１０】
図面を参照して、本発明の実施形態を以下に説明する。以下の説明で参照する図面の記載において、同一又は類似の部分には、同一又は類似の符号を付している。ただし、図面は模式的なものであり、厚さと平面寸法との関係や、各層の厚さの比率等は、現実のものとは異なることに留意すべきである。したがって、具体的な厚さや寸法は、以下の説明を参酌して判断すべきものである。また、図面相互間においても、互いの寸法の関係や比率が異なる部分が含まれていることは勿論である。
【００１１】
さらに、以下に示す実施形態は、本発明の技術的思想を具体化するための床板支持部材を例示するものであって、本発明の技術的思想は、構成部品の材質や、それらの形状、構造、配置等を下記のものに特定するものでない。本発明の技術的思想は、特許請求の範囲に記載された請求項が規定する技術的範囲内において、種々の変更を加えることが可能である。また、以下の説明における「左右」や「上下」の方向は、単に説明の便宜上の定義であって、本発明の技術的思想を限定するものではない。よって、例えば、紙面を９０度回転すれば「左右」と「上下」とは交換して読まれ、紙面を１８０度回転すれば「左」が「右」になり、「右」が「左」になることは勿論である。
【００１２】
（第一実施形態）
以下、本発明の第一実施形態について、図面を参照しつつ説明する。
（床板支持部材）
図１から図１５を用いて、床板支持部材１の構成について説明する。
図１に示すように、床板支持部材１は、基礎面Ｂの上に配置することで基礎面Ｂと共に二重床を形成する床パネルＦＰを下方から支持する。これにより、基礎面Ｂとの間には、空間（床下空間ＵＳ）が形成される。
基礎面Ｂは、建築物の躯体の一部であり、構造壁ＳＷや天井（図示せず）と共に、室内空間ＲＳを形成する。
【００１３】
第一実施形態では、一例として、室内空間ＲＳに間仕切壁ＰＷが設置されている場合について説明する。
床パネルＦＰは、複数の床板材ＦＢを組み合わせて形成されている。なお、説明のために図示を省略するが、床パネルＦＰの上には、フローリング等を配置する。また、図示は省略するが、床パネルＦＰが合板等の捨張りで形成されている場合には、床パネルＦＰの上にカーペット等を配置する場合がある。
床板材ＦＢは、パーティクルボード等を用いて形成されており、床板支持部材１によって支持されている。
【００１４】
第一実施形態では、一例として、床板材ＦＢの端部を含まない位置（例えば、床板材ＦＢの幅方向中心）や、隣り合う二枚の床板材ＦＢの間において、床板材ＦＢを床板支持部材１によって支持する構成について説明する。
また、第一実施形態では、一例として、床板支持部材１を配置する位置を、間仕切壁ＰＷを設置する床パネルＦＰの下方や、間仕切壁ＰＷを設置しない床パネルＦＰの下方に設定した場合について説明する。なお、間仕切壁ＰＷを設置しない床パネルＦＰとは、例えば、重量物を置く位置の床パネルＦＰである。
【００１５】
隣り合う床板材ＦＢの間には、図２に示すように、線状（スリット状）の隙間ＳＰが形成されている。なお、図１及び図２には、間仕切壁ＰＷを設置する床パネルＦＰの下方に配置した床板支持部材１を示す。また、図２では、床板材ＦＢの端部を含まない位置を支持する一つの床板支持部材１と、隣り合う二枚の床板材ＦＢを支持する一つの床板支持部材１を図示する。
【００１６】
第一実施形態では、一例として、隣り合う床板材ＦＢの間に形成されている隙間ＳＰの幅を、１５［ｍｍ］とした場合について説明する。
また、床板支持部材１は、図３及び図４に示すように、台座部１０と、ヘッド部２０と、支持脚部３０を備えている。
【００１７】
（台座部）
台座部１０は、例えば、樹脂材料（ＡＢＳ樹脂等）を用いて形成されており、基礎面Ｂと床パネルＦＰとの間に配置された状態で、床パネルＦＰを下方から支持する。
第一実施形態では、一例として、台座部１０を、日本エイアンドエル株式会社製のＡＢＳ樹脂である「サンタックＳＴ−５５（高衝撃タイプ）」を用いて形成した場合について説明する。
台座部１０の外周部には、図６から図８、図１０に示すように、Ｒ面取りが施されている。
台座部１０を床板材ＦＢに固定する際には、例えば、接着剤、釘、ビス、ステープル等の固定部材を用いることが可能である。
【００１８】
第一実施形態では、一例として、台座部１０を床板材ＦＢに固定する際に、床パネルＦＰを厚さ方向に貫通する固定部材として、ビスを用いた場合について説明する。
また、台座部１０は、図５から図１０に示すように、二箇所の床受け部１１ａ，１１ｂと、台座フレーム部１２と、雌ねじ部１３を備える。
二箇所の床受け部１１ａ，１１ｂは、それぞれ、床パネルＦＰの厚さ方向から見て、互いの短辺側を向い合わせて配置した三日月形に形成されており、床パネルＦＰの下方に配置する。
すなわち、二箇所の床受け部１１ａ，１１ｂは、それぞれ、床パネルＦＰを上面から厚さ方向に貫通して台座部１０に取り付けられる固定部材を用いて床パネルＦＰに固定される。
【００１９】
床受け部１１の床パネルＦＰと対向する面には、断面がＶ字状の溝である誘導部１４が形成されている。
床受け部１１の基礎面Ｂと対向する面には、凹部状の溝である肉盗み部１５が形成されている。
誘導部１４の少なくとも一部と肉盗み部１５の少なくとも一部とは、床パネルＦＰの厚さ方向から見て重なっている。
台座フレーム部１２は、二箇所の床受け部１１ａ，１１ｂと一体に成型されている。
また、台座フレーム部１２は、床パネルＦＰの厚さ方向から見て、円環状に形成されており、二箇所の床受け部１１ａ，１１ｂの間に配置されている。
【００２０】
これに加え、台座フレーム部１２には、支持脚部３０が通過可能であるとともに、ヘッド部２０の一部を配置可能なヘッド部配置孔１６が形成されている。したがって、二箇所の床受け部１１ａ，１１ｂは、床パネルＦＰの厚さ方向から見て、ヘッド部配置孔１６を間に挟んで対向する位置に配置されている。
ヘッド部配置孔１６の内径は、作業者が台座部１０の上方からヘッド部配置孔１６へ指や治具（工具）を挿入して台座部１０を下方から支持した状態で、台座部１０を基礎面Ｂと床パネルＦＰとの間に配置する作業を行うことが可能な値に設定する。
【００２１】
第一実施形態では、一例として、ヘッド部配置孔１６の内径を、４０［ｍｍ］とした場合について説明する。
また、図８及び図１０に示すように、台座部１０のうち台座フレーム部１２は、台座部１０のうち二箇所の床受け部１１ａ，１１ｂよりも基礎面Ｂから離れる方向へ突出している。これにより、台座部１０において、台座フレーム部１２と二箇所の床受け部１１ａ，１１ｂとの間には、段差が形成されている。したがって、台座フレーム部１２の厚さ（床パネルＦＰの厚さ方向に沿った長さ）は、床受け部１１の厚さよりも厚い。
【００２２】
台座部１０の厚さは、作業者が台座部１０の上方からヘッド部配置孔１６へ指や治具（工具）を挿入して台座部１０を下方から支持した状態で、台座部１０を基礎面Ｂと床パネルＦＰとの間に配置する作業を行うことが可能な値に設定する。
第一実施形態では、一例として、台座フレーム部１２の厚さが１５［ｍｍ］であり、床受け部１１の厚さが１３［ｍｍ］である場合について説明する。したがって、第一実施形態では、二箇所の床受け部１１ａ，１１ｂに対する台座フレーム部１２の突出量が、２［ｍｍ］である。
【００２３】
また、図５から図８及び図１０に示すように、台座フレーム部１２の上面（床受け部１１と連続する面）において、床パネルＦＰの厚さ方向から見てヘッド部配置孔１６を包囲する位置には、台座側回り止め部１７が形成されている。
台座側回り止め部１７は、円環状に配置した複数の台座側凸部１８により形成されている。
台座側凸部１８は、台座フレーム部１２よりも基礎面Ｂから離れる方向へ突出しており、斜面と、垂直面と、二つの側面により形成されている。
【００２４】
台座側凸部１８を形成する斜面は、台座部１０を上方から見た状態における時計回り方向（右回り方向）へ向かうにつれて高さが増加する面であり、床パネルＦＰの厚さ方向から見た形状が四辺形となっている。台座側凸部１８を形成する垂直面は、斜面の頂点から床パネルＦＰの厚さ方向に沿って直線状に高さが減少する面であり、ヘッド部配置孔１６の周方向から見た形状が四辺形となっている。台座側凸部１８を形成する二つの側面は、斜面と垂直面に連続する面であり、ヘッド部配置孔１６の径方向から見た形状が直角三角形となっている。
【００２５】
また、図５に示すように、台座フレーム部１２のうち、台座側回り止め部１７と二箇所の床受け部１１ａ，１１ｂとの間には、それぞれ、二つの台座側中央表記部１９が形成されている。
二つの台座側中央表記部１９は、ヘッド部配置孔１６の径方向に沿った直線状に形成された凸部であり、二つの台座側中央表記部１９を結ぶ仮想直線が、ヘッド部配置孔１６の中心を通過する位置に形成されている。これにより、二つの台座側中央表記部１９は、台座部１０の中心位置（センター位置）を設定する基準として機能する。
雌ねじ部１３は、ヘッド部配置孔１６の内径面に形成されている。
【００２６】
第一実施形態では、一例として、雌ねじ部１３の構成を、ピッチが３［ｍｍ］であり、条数が２条である構成とした場合について説明する。
また、第一実施形態では、一例として、雌ねじ部１３の構成を、切り始めの位置が、ヘッド部配置孔１６の内径面のうち、ヘッド部配置孔１６の径方向から見て二箇所の床受け部１１ａ，１１ｂと重なる位置である構成とした場合について説明する。具体的に、第一実施形態では、雌ねじ部１３の切り始めの位置が二箇所であり、二箇所の切り始めの位置が、それぞれ、ヘッド部配置孔１６の径方向から見て、二箇所の床受け部１１ａ，１１ｂの中心と重なる位置である。したがって、第一実施形態では、二箇所に形成した雌ねじ部１３の切り始めの位置が、それぞれ、ヘッド部配置孔１６の周方向に沿って等間隔で配置されている。
【００２７】
（ヘッド部）
ヘッド部２０は、例えば、台座部１０と同様、樹脂材料を用いて形成されており、台座部１０に対して上方から着脱可能である。
第一実施形態では、一例として、ヘッド部２０を、台座部１０と同様、日本エイアンドエル株式会社製のＡＢＳ樹脂である「サンタックＳＴ−５５（高衝撃タイプ）」を用いて形成した場合について説明する。
また、ヘッド部２０は、図１１から図１５に示すように、ヘッド側取付部２１と、フランジ部２２と、雄ねじ部２３と、ヘッド側突出部２４を備える。
また、ヘッド部２０には、図１４に示すように、ヘッド部２０の下面と上面を貫通するヘッド部側貫通孔２５が形成されている。
【００２８】
ヘッド側取付部２１は、円筒形状に形成されている。
ヘッド側取付部２１の外径は、ヘッド部配置孔１６の内部に配置可能な外径である。
第一実施形態では、一例として、ヘッド側取付部２１の厚さ（床パネルＦＰの厚さ方向に沿った長さ）が１９［ｍｍ］である場合について説明する。したがって、第一実施形態では、ヘッド側取付部２１の厚さが、台座部１０の厚さよりも厚い。
雄ねじ部２３は、ヘッド部２０の外径面に形成されており、雌ねじ部１３と噛み合う。すなわち、雄ねじ部２３は、ヘッド部２０の一部をヘッド部配置孔１６に配置した状態で、ヘッド部配置孔１６の内径面と対向する面に形成されている。
【００２９】
第一実施形態では、一例として、雌ねじ部１３と同様、雄ねじ部２３の構成を、ピッチが３［ｍｍ］であり、条数が２条である構成とした場合について説明する。
また、第一実施形態では、一例として、雄ねじ部２３の構成を、切り始めの位置が二箇所であり、二箇所の切り始めの位置が、それぞれ、ヘッド側取付部２１の周方向に沿って等間隔で配置されている構成とした場合について説明する。
フランジ部２２は、ヘッド側取付部２１よりも台座フレーム部１２から離れた位置に配置されており、床パネルＦＰの厚さ方向から見て、ヘッド側取付部２１の外径面よりも、ヘッド側取付部２１の中心から離れる方向へ突出している。
【００３０】
フランジ部２２の台座フレーム部１２と対向する面には、図１１及び図１３に示すように、四箇所のヘッド側回り止め部２６が形成されている。
ヘッド側回り止め部２６は、円弧状に配置した複数のヘッド側凸部２７により形成されている。
ヘッド側凸部２７は、フランジ部２２よりも基礎面Ｂへ近づく方向へ突出しており、台座側回り止め部１７と同様、斜面と、垂直面と、二つの側面により形成されている。
ヘッド側凸部２７を形成する斜面は、ヘッド部２０を上方から見た状態における反時計回り方向（左回り方向）へ向かうにつれて高さが増加する面であり、床パネルＦＰの厚さ方向から見た形状が四辺形となっている。ヘッド側凸部２７を形成する垂直面は、斜面の頂点から床パネルＦＰの厚さ方向に沿って直線状に高さが減少する面であり、ヘッド側取付部２１の周方向から見た形状が四辺形となっている。ヘッド側凸部２７を形成する二つの側面は、斜面と垂直面に連続する面であり、ヘッド側取付部２１の径方向から見た形状が直角三角形となっている。
【００３１】
以上により、台座部１０に対してヘッド部２０を時計回り方向へ回転させると、ヘッド側凸部２７を形成する斜面と、台座側凸部１８を形成する斜面が、互いに接触しながら変形する。これにより、台座部１０に対してヘッド部２０を時計回り方向へ回転させると、ヘッド側凸部２７を形成する斜面が、台座側凸部１８を形成する斜面に接触しながら乗り越える。このため、台座部１０に対するヘッド部２０の、時計回り方向への回転が許容される。
一方、台座部１０に対してヘッド部２０を反時計回り方向へ回転させると、ヘッド側凸部２７を形成する垂直面と、台座側凸部１８を形成する垂直面が、互いに接触する。ヘッド側凸部２７を形成する垂直面と、台座側凸部１８を形成する垂直面が、互いに接触しながら変形するためには、ヘッド側凸部２７を形成する斜面と、台座側凸部１８を形成する斜面が、互いに接触しながら変形する際よりも、大きな力を加える必要がある。
【００３２】
すなわち、ヘッド側凸部２７を形成する垂直面が、台座側凸部１８を形成する垂直面に接触しながら乗り越えるためには、ヘッド側凸部２７を形成する斜面が、台座側凸部１８を形成する斜面に接触しながら乗り越える際よりも大きな力を加える必要がある。このため、台座部１０に対するヘッド部２０の、反時計回り方向への回転が規制される。
したがって、台座側回り止め部１７とヘッド側回り止め部２６は、雄ねじ部２３と雌ねじ部１３とが噛み合った状態を任意の位置に保持する緩み止め機構を形成する。
ヘッド側突出部２４は、フランジ部２２よりも台座フレーム部１２から離れた位置に配置されており、フランジ部２２よりも基礎面Ｂから離れる方向へ突出している。
【００３３】
ヘッド側突出部２４の形状は、例えば、スパナ等の工具が噛み合う形状である。
また、ヘッド側突出部２４の上面（フランジ部２２と対向する面と反対側の面）には、台座部１０に対して上方からヘッド部２０を取り付ける際に、スパナ等の工具によってヘッド部２０を回転させる方向の表記である回転表記２８が形成されている。なお、第一実施形態では、台座部１０に対して上方からヘッド部２０を取り付ける際にヘッド部２０を回転させる方向は、台座部１０に対してヘッド部２０を時計回り方向へ回転させる方向である。
【００３４】
（支持脚部）
支持脚部３０は、例えば、金属製のパイプを用いて形成されている。また、支持脚部３０は、下端側を基礎面Ｂの上に配置するとともに、上端側を床パネルＦＰに向けた状態で、床下空間ＵＳに配置されている。
また、支持脚部３０は、ねじ受け部３１と、ボルト部３２と、床台座３３を備えている。
ねじ受け部３１は、円筒形状に形成されており、内径面に雌ねじ（図示せず）が形成されている。
ねじ受け部３１の上端側は、圧入等の手段を用いて、ヘッド部２０の下面へ固定されている。したがって、支持脚部３０の上端側には、ヘッド部２０を取り付けている。
【００３５】
ボルト部３２は、ねじ受け部３１の雌ねじと噛み合う雄ねじ（図示せず）が外径面に形成されている。
また、ボルト部３２には、軸方向に貫通する貫通孔が形成されている。
ボルト部３２の上端面には、図４に示すように、例えば、ドライバー等の工具を差し込むことが可能な溝である高さ調整溝３４が形成されている。高さ調整溝３４は、ボルト部３２を軸方向に貫通する貫通孔と連続している。第一実施形態では、高さ調整溝３４として、ボルト部３２の上端面に、プラスドライバーを差し込むことが可能な十字型の溝が形成されている場合について説明する。
ボルト部３２の下端側は、床台座３３へ回転可能に挿入されている。
【００３６】
床台座３３は、ゴム等の弾性材料を用いて形成されており、基礎面Ｂの上に設置されている。したがって、支持脚部３０の下端側は、基礎面Ｂの上に配置される。
上述した構成により、支持脚部３０は、ボルト部３２を回転させることで、ヘッド部２０と床台座３３との距離を変化させて、床パネルＦＰを基礎面Ｂの上方で支持する高さを設定することが可能な構成となっている。
【００３７】
（施工用ガイド）
床板支持部材１の床パネルＦＰへの取り付けには、図１６から図１８に示す施工用ガイド４０を用いる。
施工用ガイド４０は、樹脂材料等を用いて、八角形（正方形の四隅を直線状に切除した形状）の板状に形成されている。すなわち、施工用ガイド４０の外形は、四つの長辺４１ａ〜４１ｄと、隣り合う二つの長辺４１の間に配置された四つの短辺４２ａ〜４２ｄによって形成されている。
【００３８】
短辺４２の長さは、隣り合う床板材ＦＢの間に形成された隙間ＳＰ（図２を参照）の間隔（第一実施形態では、１５［ｍｍ］）と同じ長さである。
また、施工用ガイド４０には、配置孔転写用空隙部４３と、固定部材位置決め部４４が形成されている。
配置孔転写用空隙部４３は、施工用ガイド４０を厚さ方向に貫通する円状の空隙部である。
配置孔転写用空隙部４３の形状は、床パネルＦＰに対して、台座部通過口の形状を転写した開口部を形成することで、床パネルＦＰに台座部通過口を形成するための形状である。
【００３９】
台座部通過口は、二箇所の床受け部１１ａ，１１ｂのうち一方（例えば、床受け部１１ｂ）を他方（例えば、床受け部１１ａ）よりも下方へ傾斜させた状態で、台座部１０が通過可能な開口部である。
配置孔転写用空隙部４３の内径は、作業者が台座部１０の上方からヘッド部配置孔１６へ指や治具（工具）を挿入して下方から支持した状態の台座部１０を、台座部通過口に対して通過させる作業を行うことが可能な値に設定する。
【００４０】
第一実施形態では、一例として、配置孔転写用空隙部４３の内径を、６１［ｍｍ］とした場合について説明する。
固定部材位置決め部４４は、施工用ガイド４０を厚さ方向に貫通する円状の空隙部である。
固定部材位置決め部４４の位置は、床パネルＦＰに対して固定部材を配置する二箇所の位置である。
【００４１】
第一実施形態では、一例として、固定部材位置決め部４４の位置を、互いに直交する仮想直線の上に、それぞれ二箇所配置された合計四箇所とした場合について説明する。
また、第一実施形態では、一例として、仮想直線の上に配置された二箇所の固定部材位置決め部４４に対し、中心間の距離を、８０［ｍｍ］とした場合について説明する。
また、図１６に示すように、固定部材位置決め部４４の周囲には、二つのガイド側中央表記部４５が形成されている。
二つのガイド側中央表記部４５は、ヘッド部配置孔１６の径方向に沿った直線状に形成された凸部であり、二つのガイド側中央表記部４５を結ぶ仮想線が、配置孔転写用空隙部４３の中心を通過する位置に形成されている。これにより、二つのガイド側中央表記部４５は、配置孔転写用空隙部４３の中心位置（センター位置）を設定する基準として機能する。
【００４２】
また、施工用ガイド４０は、第一表記部４６と、第二表記部４７を備える。
第一表記部４６は、図１６に示すように、施工用ガイド４０の上面（施工用ガイド４０を床パネルＦＰに載せた状態で、床パネルＦＰと対向する面と反対側の面）に形成された凸部である。
また、第一表記部４６は、隣り合う床板材ＦＢの間に形成された隙間ＳＰ（図２を参照）の間隔（第一実施形態では、１５［ｍｍ］）に合致する形状に形成されている。具体的に、第一表記部４６は、隣り合う床板材ＦＢの対向する辺に沿った二本の平行な直線を模した凸部である。
【００４３】
第二表記部４７は、第一表記部４６と同様、図１６に示すように、施工用ガイド４０の上面に形成された凸部である。
また、第二表記部４７は、床パネルＦＰの厚さ方向から見た、床受け部１１の輪郭に沿った形状に形成されている。具体的に、第二表記部４７は、床受け部１１の輪郭に沿った二本の対称な曲線を模した凸部である。
また、図１８に示すように、施工用ガイド４０の下面（施工用ガイド４０を床パネルＦＰに載せた状態で、床パネルＦＰと対向する面）には、複数の肉抜き部４８が形成されている。
【００４４】
（二重床の施工方法）
図１から図１８を参照しつつ、図１９から図２３を用いて、床板支持部材１の施工方法（以降の説明では、「床板支持部材施工方法」と記載する場合がある）について説明する。
床板支持部材施工方法は、床パネル加工工程と、台座部挿入工程と、台座部押し付け工程と、台座部取り付け工程と、ヘッド部取付工程と、支持脚部配置工程と、パネル高さ調節工程を備える。
【００４５】
床板支持部材施工方法は、例えば、図１９に示すように、複数の床板高さ調節機構５０により床板材ＦＢが支持されている状態、すなわち、床下地の施工が完了している状態から行う。なお、図１９には、間仕切壁ＰＷを配置する位置である間仕切壁位置を、符号ＰＳ１により示す。また、図１９には、床板支持部材１を配置する位置である支持部材位置を、符号ＰＳ２により示す。
図１９に示すように、床板支持部材１は、基礎面Ｂの予め設定した位置として、間仕切壁ＰＷを設置する位置のみの下方に配置する。
【００４６】
なお、床板高さ調節機構５０は、床板材ＦＢを下方から支持する支持板と、回転させることで支持板の上に載せた床板材ＦＢの高さを調節して、床板材ＦＢの基礎面Ｂからの高さを調節することが可能な高さ調節部を備える。また、図示を省略するが、基礎面Ｂのうち壁Ｗに近い位置には、床板材ＦＢを下方から支持する根太材（際根太）を配置している。
床パネル加工工程は、施工用ガイド４０を用いて、床板材ＦＢに対し、二箇所の床受け部１１ａ，１１ｂのうち一方を他方よりも下方へ傾斜させた状態で、台座部１０が通過可能な台座部通過口を形成する工程である。
【００４７】
床パネル加工工程では、支持部材位置ＰＳ２を含む床板材ＦＢに対して、図２０及び図２１に示すように、施工用ガイド４０を載せて取り付ける。
このとき、例えば、間仕切壁ＰＷの位置に対して予め表示した墨出し線ＭＬにガイド側中央表記部４５を合わせる。これにより、台座部通過口の中心と配置孔転写用空隙部４３の中心を一致させるとともに、床板材ＦＢのうち固定部材を貫通させる位置の中心と固定部材位置決め部４４の中心を一致させる。なお、図２０には、床板材ＦＢの端部を含まない位置に対して台座部通過口を形成する状態を示す。また、図２１には、隣り合う二枚の床板材ＦＢの間の位置に対して台座部通過口を形成する状態を示す。
【００４８】
なお、図２１に示すように、隣り合う二枚の床板材ＦＢの間に施工用ガイド４０を配置する際には、第一表記部４６を形成する二本の平行な直線を、二枚の床板材ＦＢがそれぞれ有する対向する辺に重ねる。また、隣り合う二枚の床板材ＦＢの間に施工用ガイド４０を配置する際には、施工用ガイド４０の短辺４２を、床板材ＦＢの端部と直交させる。さらに、間仕切壁ＰＷの位置に対して予め表示した墨出し線ＭＬにガイド側中央表記部４５を合わせる。これにより、台座部通過口の中心と配置孔転写用空隙部４３の中心を一致させる。
【００４９】
床板材ＦＢに対する施工用ガイド４０の取り付けには、ビス等の仮固定用部材（例えば、若井産業株式会社製の「ユニクロ  軽天タッピング  ラッパ」）を用いる。なお、仮固定用部材としては、例えば、外径が３．５［ｍｍ］であり、長さが２２［ｍｍ］のものを用いる。
さらに、固定部材位置決め部４４をガイドとして、床板材ＦＢに対して仮固定用部材を取り付ける（ねじ込む）ことで、床板材ＦＢに施工用ガイド４０を取り付ける（仮固定する）。
【００５０】
次に、円筒形状の切削機械（コアドリルビット。例えば、大見工業株式会社製の「ＦＲＰホールカッター」）等を用い、配置孔転写用空隙部４３をガイドとして、床板材ＦＢに台座部通過口を形成する。その後、床板材ＦＢから仮固定用部材を取り外し、さらに、床板材ＦＢから施工用ガイド４０を取り外す。
上述したように、床板材ＦＢへの仮固定用部材の取り付け及び取り外しを行うことで、床板材ＦＢに対し、固定部材を取り付ける位置のマーキングが行われる。
台座部挿入工程は、基礎面Ｂと床パネルＦＰ（床板材ＦＢ）との間に、床パネルＦＰを下方から支持する台座部１０を配置する工程である。なお、台座部挿入工程を行う前に、例えば、掃除機等を用いて、床パネル加工工程で発生した木屑等を取り除く。
【００５１】
台座部挿入工程では、まず、図２２に示すように、床パネル加工工程で床板材ＦＢにマーキングした位置に、床板材ＦＢを貫通しない深さまで固定部材６０を取り付ける（ねじ込む）。
なお、固定部材６０としては、例えば、若井産業株式会社製の「コーススレッド  ステンレス  フレキ  半ネジ」を用いる。また、固定部材６０としては、仮固定用部材よりも大径且つ長尺なものとして、例えば、外径が３．８［ｍｍ］であり、長さが３２［ｍｍ］のものを用いる。
【００５２】
次に、作業者によって、台座部１０の上方からヘッド部配置孔１６へ指や治具（工具）を挿入して台座部１０を下方から支持した状態で、台座部１０を保持する。そして、台座部通過口ＴＨに対して、二箇所の床受け部１１ａ，１１ｂのうち一方（床受け部１１）を、他方（床受け部１１）よりも下方へ傾斜させた状態で、他方の床受け部１１を挿入する。その後、台座部通過口ＴＨに対し、一方の床受け部１１を挿入する。
以上により、台座部挿入工程では、基礎面Ｂと床パネルＦＰとの間に、台座部１０を配置する。
【００５３】
台座部押し付け工程は、二箇所の床受け部１１ａ，１１ｂを床パネルＦＰの基礎面Ｂと対向する面に押し付ける工程である。
台座部取り付け工程では、二箇所の床受け部１１ａ，１１ｂを床パネルＦＰの下面に接触させ、さらに、作業者によって、台座部１０に対して下方から上方へ向けて力を加える。これにより、二箇所の床受け部１１ａ，１１ｂを床パネルＦＰの基礎面Ｂと対向する面（下面）に押し付ける。
台座部取り付け工程は、二箇所の床受け部１１ａ，１１ｂを床パネルＦＰの基礎面Ｂと対向する面（下面）に押し付けている状態で、床パネルＦＰを上面から厚さ方向に貫通させた固定部材６０を床受け部１１にねじ込む工程である。これにより、台座部取り付け工程は、台座部１０を床パネルＦＰに取り付ける工程である。
【００５４】
台座部取り付け工程では、床板材ＦＢを貫通しない深さまで取り付けている固定部材６０に対し、インパクトドライバー等を用いて、図２３に示すように、床板材ＦＢに貫通させて、二箇所の床受け部１１ａ，１１ｂに取り付ける（ねじ込む）。
上述したように、床受け部１１ａ及び床受け部１１ｂの床パネルＦＰと対向する面には、断面がＶ字状の溝である誘導部１４が形成されている。
このため、床板材ＦＢに貫通させた固定部材６０の先端は、誘導部１４が有する斜面（Ｖ字状の溝の壁面）によって、誘導部１４が有する底部（Ｖ字状の溝の底辺）に誘導されることとなる。これにより、床板材ＦＢに貫通させた固定部材６０の先端は、円滑に床受け部１１ａ及び床受け部１１ｂへ取り付けられる（ねじ込まれる）。
【００５５】
ヘッド部取付工程は、ヘッド部配置孔１６に、ヘッド部２０を上端側に取り付けた支持脚部３０の下端側を台座部１０の上方から通過させ、さらに、ヘッド部配置孔１６にヘッド部２０を取り付ける工程である。
ヘッド部取付工程では、ヘッド部２０を上端側に取り付けた支持脚部３０の下端側を台座部１０の上方から通過させた後、台座部１０が備える雌ねじ部１３にヘッド部２０が備える雄ねじ部２３を回し入れて噛み合わせる。
上述したように、ヘッド側突出部２４の上面には回転表記２８が形成されているため、回転表記２８の方向（時計回り方向）にヘッド部２０を回転させることで、台座部１０に対して上方からヘッド部２０を取り付ける。なお、台座部１０に対して上方からヘッド部２０を取り付ける際には、予め、ねじ受け部３１に対してボルト部３２を回転させておく等の作業により、フランジ部２２と台座フレーム部１２が接触した状態で、床台座３３が基礎面Ｂに接触しない状態としておく。
【００５６】
ここで、第一実施形態では、上述したように、雌ねじ部１３及び雄ねじ部２３の構成を、条数が２条である構成としているため、ヘッド部２０を半周回転させることで、雌ねじ部１３と雄ねじ部２３との噛み合いが開始される。
雌ねじ部１３に雄ねじ部２３を回し入れて噛み合わせ、さらに、フランジ部２２が台座フレーム部１２に接触するまで、ヘッド部２０を回転表記２８の方向へ回転させて、ヘッド部配置孔１６にヘッド部２０を取り付ける。
ここで、第一実施形態では、上述したように、台座側回り止め部１７とヘッド側回り止め部２６により、緩み止め機構を形成している。このため、例えば、ヘッド側凸部２７が台座側凸部１８を乗り越える際に発生する音が鳴るまでは、手作業によってヘッド部２０を回転させ、ヘッド側凸部２７が台座側凸部１８を乗り越える際に発生する音が鳴った後は、工具によってヘッド部２０を回転させる。
【００５７】
支持脚部配置工程は、支持脚部３０の下端側を基礎面Ｂの上に配置する工程である。
支持脚部配置工程では、高さ調整溝３４に差し込んだ工具（プラスドライバー）を回すことにより、ボルト部３２を回転させて床台座３３を基礎面Ｂに接触させることで、支持脚部３０を基礎面Ｂの上に配置する。
パネル高さ調節工程は、床パネルＦＰの高さを調節する工程である。
パネル高さ調節工程では、床下空間ＵＳに配置した複数の床板支持部材１に対し、高さ調整溝３４に差し込んだ工具を回すことにより、複数枚の床板材ＦＢより、基礎面Ｂからの高さが均等な床面を形成する（図１参照）。
【００５８】
その後、ヘッド部側貫通孔２５の上方から、高さ調整溝３４へ接着剤を注入する。高さ調整溝３４へ注入する接着剤の量は、ねじ受け部３１に接触する量とする。したがって、高さ調整溝３４へ注入した接着剤が乾燥すると、ねじ受け部３１とボルト部３２が固定される。なお、接着剤としては、例えば、有限会社泰成電機工業製の「ＢＡ−４００」又は「ＢＡ−１５０」を用いる。
【００５９】
なお、二重床を解体する際には、回転表記２８の方向と反対の（反時計回り方向）にヘッド部２０を回転させることで、台座部１０からヘッド部２０を取り外し、さらに、台座部１０を支持した状態で、床受け部１１及び床板材ＦＢから固定部材６０を取り外す。次に、台座部１０を傾斜させた状態で台座部通過口ＴＨを通過させ、基礎面Ｂと床パネルＦＰとの間から、台座図１０を取り出す。このため、二重床の解体時に、台座図１０が床下空間ＵＳに取り残されることは無い。
なお、上述した第一実施形態は、本発明の一例であり、本発明は、上述した第一実施形態に限定されることはなく、この実施形態以外の形態であっても、本発明に係る技術的思想を逸脱しない範囲であれば、設計等に応じて種々の変更が可能である。
【００６０】
（第一実施形態の効果）
第一実施形態の床板支持部材１であれば、以下に記載する効果を奏することが可能となる。
（１）台座部１０が、床パネルＦＰの下方に配置する二箇所の床受け部１１ａ，１１ｂと、床パネルＦＰの厚さ方向から見て二箇所の床受け部１１ａ，１１ｂの間に配置された台座フレーム部１２を備える。これに加え、台座フレーム部１２に、支持脚部３０が通過可能であるとともにヘッド部２０の一部を配置可能なヘッド部配置孔１６が形成されている。さらに、二箇所の床受け部１１ａ，１１ｂが、床パネルＦＰの厚さ方向から見て、ヘッド部配置孔１６を間に挟んで対向する位置に配置されている。
このため、二箇所の床受け部１１ａ，１１ｂにより、両持ち状態で床パネルＦＰを支持することが可能となるため、床パネルＦＰを良好なバランスで支持することが可能となる。
その結果、床パネルＦＰを支持する安定性を向上させることが可能な、床板支持部材１を提供することが可能となる。
また、既存の二重床に対し、例えば、補強が必要となった場合等に、床板材ＦＢを取り外す等の作業を必要とせずに、床板支持部材１を施工することが可能となる。
【００６１】
（２）床受け部１１の床パネルＦＰと対向する面に、断面がＶ字状の溝である誘導部１４が形成されている。
その結果、固定部材６０を床受け部１１に取り付ける（ねじ込む）際に、固定部材６０の先端が誘導部１４によって導かれるため、固定部材６０の床受け部１１への取り付けが容易となり、作業効率を向上させることが可能となる。
（３）床受け部１１の基礎面Ｂと対向する面に、凹部状の溝である肉盗み部１５が形成されている。これに加え、誘導部１４の少なくとも一部と肉盗み部１５の少なくとも一部とは、床パネルＦＰの厚さ方向から見て重なっている。
その結果、固定部材６０を床受け部１１に取り付ける（ねじ込む）際に、誘導部１４によって導かれた固定部材６０の先端側が肉盗み部１５に固定されるため、床受け部１１の取り付け強度を向上させることが可能となる。
【００６２】
（４）台座部１０が、ヘッド部配置孔１６の内径面に形成された雌ねじ部１３を備える。これに加え、ヘッド部２０が、雌ねじ部１３と噛み合う雄ねじ部２３を備える。
その結果、雌ねじ部１３と雄ねじ部２３とを噛み合わせることで、接着剤等を必要とせずに、台座部１０にヘッド部２０を取り付けることが可能となるため、作業効率を向上させることが可能となる。
（５）雄ねじ部２３と雌ねじ部１３とが噛み合った状態を任意の位置に保持する緩み止め機構を備える。
その結果、台座部１０とヘッド部２０との間に発生する緩みを抑制することが可能となり、床板支持部材１取り付け強度を向上させることが可能となる。
また、第一実施形態の施工用ガイド４０であれば、以下に記載する効果を奏することが可能となる。
【００６３】
（６）台座部１０の外周部に、Ｒ面取りが施されている。
その結果、床板材ＦＢに形成した開口部（台座部通過口）に台座部１０を通過させる際に、床板材ＦＢと台座部１０との間に発生する摩擦抵抗を低減させることが可能となり、作業効率を向上させることが可能となる。
（７）ヘッド部２０が、床パネルＦＰの厚さ方向から見て、ヘッド側取付部２１の外径面よりも、ヘッド側取付部２１の中心から離れる方向へ突出しているフランジ部２２を備える。
その結果、ヘッド部側貫通孔２５に接着剤を注入する際に、接着剤がヘッド部側貫通孔２５から溢れた場合であっても、台座部１０まで接着剤が流れることを抑制することが可能となる。
【００６４】
（８）ヘッド側取付部２１の厚さが、台座部１０の厚さよりも厚い。
その結果、台座部１０と比較して、ヘッド部２０の強度を向上させることが可能となる。
（９）雌ねじ部１３の切り始めの位置が、ヘッド部配置孔１６の内径面のうち、ヘッド部配置孔１６の径方向から見て二箇所の床受け部１１ａ，１１ｂと重なる位置である。
その結果、雌ねじ部１３の強度を向上させることが可能となる。
（１０）雄ねじ部２３の切り始めの位置が二箇所であり、二箇所の切り始めの位置が、それぞれ、ヘッド側取付部２１の周方向に沿って等間隔で配置されている。
その結果、雄ねじ部２３の強度を向上させることが可能となる。
【００６５】
（１１）施工用ガイド４０を厚さ方向に貫通する配置孔転写用空隙部４３が形成されている。これに加え、配置孔転写用空隙部４３が、床パネルＦＰに対し、二箇所の床受け部１１ａ，１１ｂのうち一方を他方よりも下方へ傾斜させた状態で、台座部１０が通過可能な開口部を形成するための空隙部である。
このため、床板材ＦＢに対し、台座部１０が通過可能であるとともに、二箇所の床受け部１１ａ，１１ｂを床パネルＦＰの下方へ配置することが可能な開口部（台座部通過口）を形成することが可能となる。
その結果、二箇所の床受け部１１ａ，１１ｂにより、両持ち状態で床パネルＦＰを支持することが可能となるため、床パネルＦＰを支持する安定性を向上させることが可能な、施工用ガイド４０を提供することが可能となる。
また、既存の二重床に対し、例えば、補強が必要となった場合等に、床板材ＦＢを取り外す等の作業を必要とせずに、配置孔転写用空隙部４３を形成して、床板支持部材１を施工することが可能となる。
【００６６】
（１２）二箇所の床受け部１１ａ，１１ｂが、それぞれ、床パネルＦＰを上面から厚さ方向に貫通して台座部１０に取り付けられる固定部材６０を用いて床パネルＦＰに固定されている。これに加え、施工用ガイド４０には、床パネルＦＰに対して固定部材６０を配置する二箇所の位置に開口した空隙部である固定部材位置決め部４４が形成されている。
その結果、施工用ガイド４０を床板材ＦＢに仮止めするとともに、固定部材６０を配置する位置の位置決めを行うことが可能となるため、作業効率を向上させることが可能となる。
【００６７】
（１３）床パネルＦＰが、複数の床板材ＦＢを組み合わせて形成されており、隣り合う床板材ＦＢの間には、隙間ＳＰが形成されている。これに加え、施工用ガイド４０が、隙間ＳＰの間隔に合致する形状の第一表記部４６を備える。
その結果、第一表記部４６を隙間ＳＰに合致させることで、床板材ＦＢの適切な位置に施工用ガイド４０を配置することが可能となるため、作業効率を向上させることが可能となる。
また、床板材ＦＢの継ぎ目に床板支持部材１を施工する際の、作業効率を向上させることが可能となる。
【００６８】
（１４）床パネルＦＰの厚さ方向から見た床受け部１１の輪郭に沿った形状の第二表記部４７を備える。
その結果、床板材ＦＢに施工用ガイド４０を取り付けた状態で、第二表記部４７の位置が床受け部１１の位置となるため、台座部１０の取り付けイメージを容易に把握することが可能となり、作業効率を向上させることが可能となる。
また、第一実施形態の二重床の施工方法であれば、以下に記載する効果を奏することが可能となる。
【００６９】
（１５）台座部挿入工程と、台座部押し付け工程と、台座部取り付け工程と、ヘッド部取付工程と、支持脚部配置工程を備える。台座部挿入工程は、基礎面Ｂと床パネルＦＰとの間に、床パネルＦＰを下方から支持する台座部１０を配置する工程である。台座部押し付け工程は、二箇所の床受け部１１ａ，１１ｂを床パネルＦＰの基礎面Ｂと対向する面に押し付ける工程である。台座部取り付け工程は、二箇所の床受け部１１ａ，１１ｂを床パネルＦＰの下面に押し付けている状態で、床パネルＦＰを上面から厚さ方向に貫通させた固定部材６０を床受け部１１にねじ込む工程である。これにより、台座部取り付け工程は、台座部１０を床パネルＦＰに取り付ける工程である。ヘッド部取付工程は、ヘッド部配置孔１６に、ヘッド部２０を上端側に取り付けた支持脚部３０の下端側を台座部１０の上方から通過させ、さらに、ヘッド部配置孔１６にヘッド部２０を取り付ける工程である。支持脚部配置工程は、支持脚部３０の下端側を基礎面Ｂの上に配置する工程である。
【００７０】
このため、台座部取り付け工程で床パネルＦＰに取り付けた台座部１０が備える二箇所の床受け部１１ａ，１１ｂにより、両持ち状態で床パネルＦＰを支持することが可能となるため、床パネルＦＰを良好なバランスで支持することが可能となる。
その結果、床パネルＦＰを支持する安定性を向上させることが可能な、二重床の施工方法を提供することが可能となる。
また、既存の二重床に対し、例えば、補強が必要となった場合等に、床板材ＦＢを取り外す等の作業を必要とせずに、二重床を施工することが可能となる。
【００７１】
（変形例）
（１）第一実施形態では、図１９に示すように、床板支持部材１を、間仕切壁ＰＷを設置する位置の下方にのみ配置したが、これに限定するものではない。すなわち、例えば、図２４に示すように、間仕切壁ＰＷを設置する位置の下方に加え、間仕切壁ＰＷを設置しない位置の下方に配置してもよい。同様に、例えば、図２５に示すように、間仕切壁ＰＷを設置しない位置（重量物を置く位置等）のみの下方に配置してもよい。
【００７２】
（２）第一実施形態では、ヘッド側突出部２４の上面に、ヘッド部２０を回転させる方向の表記（回転表記２８）を形成したが、これに限定するものではない。すなわち、例えば、ヘッド側突出部２４の上面に、高さ調整溝３４に差し込んだ工具を回す方向の表記を形成してもよい。この場合、例えば、工具を回す方向の表記として、双方向の矢印を形成し、さらに、床板材ＦＢの基礎面Ｂからの高さを高くする方向に「高」の文字を表記し、床板材ＦＢの基礎面Ｂからの高さを低くする方向に「低」の文字を表記してもよい。
【符号の説明】
【００７３】
１…床板支持部材、１０…台座部、１１…床受け部、１１ａ…床受け部、１１ｂ…床受け部、１２…台座フレーム部、１３…雌ねじ部、１４…誘導部、１５…肉盗み部、１６…ヘッド部配置孔、１７…台座側回り止め部、１８…台座側凸部、１９…台座側中央表記部、２０…ヘッド部、２１…ヘッド側取付部、２２…フランジ部、２３…雄ねじ部、２４…ヘッド側突出部、２５…ヘッド部側貫通孔、２６…ヘッド側回り止め部、２７…ヘッド側凸部、２８…回転表記、３０…支持脚部、３１…ねじ受け部、３２…ボルト部、３３…床台座、３４…高さ調整溝、４０…施工用ガイド、４１ａ〜４１ｄ…施工用ガイドの長辺、４２ａ〜４ｄ…施工用ガイドの短辺、４３…配置孔転写用空隙部、４４…固定部材位置決め部、４５…ガイド側中央表記部、４６…第一表記部、４７…第二表記部、４８…肉抜き部、５０…床板高さ調節機構、６０…固定部材、Ｂ…基礎面、ＦＰ…床パネル、ＵＳ…床下空間、ＳＷ…構造壁、ＲＳ…室内空間、ＰＷ…間仕切壁、ＦＢ…床板材、ＳＰ…隙間、ＰＳ１…間仕切壁位置、ＰＳ２…支持部材位置、ＭＬ…墨出し線、ＴＨ…台座部通過口
【図１】
2020197022.tif 000003
【図２】
2020197022.tif 000004
【図３】
2020197022.tif 000005
【図４】
2020197022.tif 000006
【図５】
2020197022.tif 000007
【図６】
2020197022.tif 000008
【図７】
2020197022.tif 000009
【図８】
2020197022.tif 000010
【図９】
2020197022.tif 000011
【図１０】
2020197022.tif 000012
【図１１】
2020197022.tif 000013
【図１２】
2020197022.tif 000014
【図１３】
2020197022.tif 000015
【図１４】
2020197022.tif 000016
【図１５】
2020197022.tif 000017
【図１６】
2020197022.tif 000018
【図１７】
2020197022.tif 000019
【図１８】
2020197022.tif 000020
【図１９】
2020197022.tif 000021
【図２０】
2020197022.tif 000022
【図２１】
2020197022.tif 000023
【図２２】
2020197022.tif 000024
【図２３】
2020197022.tif 000025
【図２４】
2020197022.tif 000026
【図２５】
2020197022.tif 000027